【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
像振れ補正のために移動可能な第１の補正手段を有するカメラと、該カメラに対して着脱可能なレンズ装置とを有するカメラシステムに用いられる前記レンズ装置であって、
像振れ補正のために移動可能な第２の補正手段と、設定手段を有し、
前記カメラシステムは、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させ、
前記設定手段は、前記記録用撮像の開始が指示された後における前記一方の補正手段の位置に対する前記一方の補正手段の移動方向ごとに、前記第１の補正手段および前記第２の補正手段による補正比率を示す情報を設定することを特徴とするレンズ装置。
【請求項２】
前記設定手段は、前記記録用撮像の開始が指示された後における前記一方の補正手段の位置である第１位置に対する方向ごとの前記一方の補正手段の補正可能量と、前記他方の補正手段の位置である第２位置に対する方向ごとの前記他方の補正手段の補正可能量とに基づいて、前記情報を設定することを特徴とする請求項１に記載のレンズ装置。
【請求項３】
第１方向側の前記一方の補正手段の前記第１位置からの補正可能量が、前記第１方向と反対側である第２方向側の前記一方の補正手段の前記第１位置からの補正可能量よりも小さい場合に、
前記設定手段は、前記第１方向に対する前記一方の補正手段の補正割合を、前記第２方向に対する前記一方の補正手段の補正割合よりも小さくするように前記情報を設定することを特徴とする請求項２に記載のレンズ装置。
【請求項４】
第１方向側の前記一方の補正手段の前記第１位置からの補正可能量が、前記第１方向と反対側である第２方向側の前記一方の補正手段の前記第１位置からの補正可能量よりも小さい場合に、
前記設定手段は、前記第１方向に対する前記他方の補正手段の補正割合を、前記第２方向に対する前記他方の補正手段の補正割合よりも大きくするように前記情報を設定することを特徴とする請求項２又は３に記載のレンズ装置。
【請求項５】
前記カメラシステムは、像振れ補正として前記カメラシステムの角度ぶれによって生じる像振れを低減し、
前記設定手段は、前記情報として、前記第１の補正手段および前記第２の補正手段のそれぞれの像振れ補正量の角度換算値の比率を設定することを特徴とする請求項１から４のいずれか一項に記載のレンズ装置。
【請求項６】
前記一方の補正手段が前記第２の補正手段であり、前記他方の補正手段が前記第１の補正手段である場合に、
前記設定手段は、前記カメラから、前記第１の補正手段の位置に対する方向ごとの前記第１の補正手段の補正可能量を、角度換算されていない値で受信することを特徴とする請求項１から５のいずれか一項に記載のレンズ装置。
【請求項７】
前記設定手段が設定した前記情報を前記カメラに送信する送信手段を有することを特徴とする請求項１から６のいずれか一項に記載のレンズ装置。
【請求項８】
前記設定手段が設定した前記情報に基づいて前記第２の補正手段の移動を制御する制御手段を有することを特徴とする請求項１から７のいずれか一項に記載のレンズ装置。
【請求項９】
前記カメラシステムにおいて、前記記録用撮像中に、前記第１の補正手段と第２の補正手段は同じ方向成分の像振れを補正することを特徴とする請求項１から８のいずれか一項に記載のレンズ装置。
【請求項１０】
カメラと、該カメラに対して着脱可能なレンズ装置とを有するカメラシステムに用いられる前記カメラであって、
像振れ補正のために移動可能な第１の補正手段と、受信手段と、制御手段を有し、
前記レンズ装置は像振れ補正のために移動可能な第２の補正手段を有し、
前記カメラシステムは、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させ、
前記受信手段は、前記レンズ装置から、前記記録用撮像の開始が指示された後における前記一方の補正手段の位置に対する移動方向ごとの前記一方の補正手段の設定された、前記第１の補正手段および前記第２の補正手段による補正比率を示す情報を受信し、
前記制御手段は、前記受信手段が受信した前記情報に基づいて、前記第１の補正手段の移動を制御することを特徴とするカメラ。
【請求項１１】
カメラと、該カメラに対して着脱可能なレンズ装置とを有するカメラシステムに用いられる前記カメラであって、
像振れ補正のために移動可能な第１の補正手段と、設定手段を有し、
前記レンズ装置は像振れ補正のために移動可能な第２の補正手段を有し、
前記カメラシステムは、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させ、
前記設定手段は、前記記録用撮像の開始が指示された後における前記一方の補正手段の位置に対する前記一方の補正手段の移動方向ごとに、前記第１の補正手段および前記第２の補正手段による補正比率を示す情報を設定することを特徴とするカメラ。
【請求項１２】
前記設定手段は、前記記録用撮像の開始が指示された後における前記一方の補正手段の位置である第１位置に対する方向ごとの前記一方の補正手段の補正可能量と、前記他方の補正手段の位置である第２位置に対する方向ごとの前記他方の補正手段の補正可能量とに基づいて、前記情報を設定することを特徴とする請求項１１に記載のカメラ。
【請求項１３】
第１方向側の前記一方の補正手段の前記第１位置からの補正可能量が、前記第１方向と反対側である第２方向側の前記一方の補正手段の前記第１位置からの補正可能量よりも小さい場合に、
前記設定手段は、前記第１方向に対する前記一方の補正手段の補正割合を、前記第２方向に対する前記一方の補正手段の補正割合よりも小さくするように前記情報を設定することを特徴とする請求項１２に記載のカメラ。
【請求項１４】
第１方向側の前記一方の補正手段の前記第１位置からの補正可能量が、前記第１方向と反対側である第２方向側の前記一方の補正手段の前記第１位置からの補正可能量よりも小さい場合に、
前記設定手段は、前記第１方向に対する前記他方の補正手段の補正割合を、前記第２方向に対する前記他方の補正手段の補正割合よりも大きくするように前記情報を設定することを特徴とする請求項１２又は１３に記載のカメラ。
【請求項１５】
前記カメラシステムは、像振れ補正として前記カメラシステムの角度ぶれによって生じる像振れを低減し、
前記設定手段は、前記情報として、前記第１の補正手段および前記第２の補正手段のそれぞれの像振れ補正量の角度換算値の比率を設定することを特徴とする請求項１１から１４のいずれか一項に記載のカメラ。
【請求項１６】
前記一方の補正手段が前記第２の補正手段であり、前記他方の補正手段が前記第１の補正手段である場合に、
前記設定手段は、前記レンズ装置から、前記第２の補正手段の位置に対するごとの前記第２の補正手段の方向補正可能量の角度換算値を受信することを特徴とする請求項１５に記載のカメラ。
【請求項１７】
前記設定手段が設定した前記情報を前記レンズ装置に送信する送信手段を有することを特徴とする請求項１１から１６のいずれか一項に記載のカメラ。
【請求項１８】
前記設定手段が設定した前記情報に基づいて前記第１の補正手段の移動を制御する制御手段を有することを特徴とする請求項１１から１７のいずれか一項に記載のカメラ。
【請求項１９】
前記カメラシステムにおいて、前記記録用撮像中に、前記第１の補正手段と第２の補正手段は同じ方向成分の像振れを補正することを特徴とする請求項１１から１８のいずれか一項に記載のカメラ。
【請求項２０】
像振れ補正のために移動可能な第１の補正手段を有するカメラと、該カメラに対して着脱可能なレンズ装置とを有するカメラシステムに用いられる前記レンズ装置であって、
像振れ補正のために移動可能な第２の補正手段と、受信手段と、制御手段を有し、
前記カメラシステムは、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させ、
前記受信手段は、前記カメラから、前記記録用撮像の開始が指示された後における前記一方の補正手段の位置に対する前記一方の補正手段の移動方向ごとに設定された、前記第１の補正手段および前記第２の補正手段による補正比率を示す情報を受信し、
前記制御手段は、前記受信手段が受信した前記情報に基づいて、前記第２の補正手段の移動を制御することを特徴とするレンズ装置。
【請求項２１】
カメラと、該カメラに対して着脱可能なレンズ装置とを有し、前記カメラが像振れ補正のために移動可能な第１の補正手段を有し、前記レンズ装置が像振れ補正のために移動可能な第２の補正手段を有し、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させるカメラシステムに用いられる前記レンズ装置の制御方法であって、
前記記録用撮像の開始が指示された後の前記一方の補正手段の位置に対する前記一方の補正手段の移動方向ごとの、前記第１の補正手段および前記第２の補正手段による補正比率を示す情報を取得するステップと
前記ステップで取得した情報に基づいて、前記記録用撮像中の前記第２の補正手段の移動を制御するステップとを有することを特徴とする制御方法。
【請求項２２】
前記レンズ装置のコンピュータに、請求項２１に記載の制御方法に従う処理を実行させることを特徴とするコンピュータプログラム。
【請求項２３】
カメラと、該カメラに対して着脱可能なレンズ装置とを有し、前記カメラが像振れ補正のために移動可能な第１の補正手段を有し、前記レンズ装置が像振れ補正のために移動可能な第２の補正手段を有し、記録用撮像の開始が指示される前の像振れ補正において前記第１の補正手段と前記第２の補正手段とのうち一方の補正手段を移動させて他方の補正手段を移動させず、前記記録用撮像中の像振れ補正において前記第１の補正手段および前記第２の補正手段を移動させるカメラシステムに用いられる前記カメラの制御方法であって、
前記記録用撮像の開始が指示された後の前記一方の補正手段の位置に対する前記一方の補正手段の移動方向ごとの、前記第１の補正手段および前記第２の補正手段による補正比率を示す情報を取得するステップと、
前記ステップで取得した情報に基づいて、前記記録用撮像中の前記第１の補正手段の移動を制御するステップとを有することを特徴とする制御方法。
【請求項２４】
前記カメラのコンピュータに、請求項２３に記載の制御方法に従う処理を実行させることを特徴とするコンピュータプログラム。
【手続補正２】
【補正対象書類名】明細書
【補正対象項目名】０００９
【補正方法】変更
【補正の内容】
【０００９】
本発明の一側面としてのレンズ装置は、像振れ補正のために移動可能な第１の補正手段を有するカメラと、該カメラに対して着脱可能なレンズ装置とを有するカメラシステムに用いられるレンズ装置であって、像振れ補正のために移動可能な第２の補正手段と、設定手段を有し、カメラシステムは、記録用撮像の開始が指示される前の像振れ補正において第１の補正手段と第２の補正手段とのうち一方の補正手段を移動させて他方の補正手段を移動させず、記録用撮像中の像振れ補正において第１の補正手段および第２の補正手段を移動させ、設定手段は、記録用撮像の開始が指示された後における一方の補正手段の位置に対する該一方の補正手段の移動方向ごとに、第１の補正手段および第２の補正手段による補正比率を示す情報を設定することを特徴とする。
【手続補正３】
【補正対象書類名】明細書
【補正対象項目名】００１０
【補正方法】変更
【補正の内容】
【００１０】
本発明の一側面としてのカメラは、カメラと、該カメラに対して着脱可能なレンズ装置とを有するカメラシステムに用いられるカメラであって、像振れ補正のために移動可能な第１の補正手段と、設定手段を有し、レンズ装置は像振れ補正のために移動可能な第２の補正手段を有し、カメラシステムは、記録用撮像の開始が指示される前の像振れ補正において第１の補正手段と第２の補正手段とのうち一方の補正手段を移動させて他方の補正手段を移動させず、記録用撮像中の像振れ補正において第１の補正手段および第２の補正手段を移動させ、設定手段は、記録用撮像の開始が指示された後における一方の補正手段の位置に対する該一方の補正手段の移動方向ごとに、第１の補正手段および第２の補正手段による補正比率を示す情報を設定することを特徴とする。
【手続補正４】
【補正対象書類名】明細書
【補正対象項目名】００１１
【補正方法】変更
【補正の内容】
【００１１】
また、本発明の他の一側面としてのレンズ装置の制御方法は、カメラと、該カメラに対して着脱可能なレンズ装置とを有し、カメラが像振れ補正のために移動可能な第１の補正手段を有し、レンズ装置が像振れ補正のために移動可能な第２の補正手段を有し、記録用撮像の開始が指示される前の像振れ補正において第１の補正手段と第２の補正手段とのうち一方の補正手段を移動させて他方の補正手段を移動させず、記録用撮像中の像振れ補正において第１の補正手段および第２の補正手段を移動させるカメラシステムに用いられるレンズ装置の制御方法であって、記録用撮像の開始が指示された後の一方の補正手段の位置に対する該一方の補正手段の移動方向ごとの、第１の補正手段および第２の補正手段による補正比率を示す情報を取得するステップと、該ステップで取得した情報に基づいて、記録用撮像中の第２の補正手段の移動を制御するステップとを有することを特徴とする。
【手続補正５】
【補正対象書類名】明細書
【補正対象項目名】００１２
【補正方法】変更
【補正の内容】
【００１２】
また、本発明の他の一側面としてのカメラの制御方法は、カメラと、該カメラに対して着脱可能なレンズ装置とを有し、カメラが像振れ補正のために移動可能な第１の補正手段を有し、レンズ装置が像振れ補正のために移動可能な第２の補正手段を有し、記録用撮像の開始が指示される前の像振れ補正において第１の補正手段と第２の補正手段とのうち一方の補正手段を移動させて他方の補正手段を移動させず、記録用撮像中の像振れ補正において第１の補正手段および第２の補正手段を移動させるカメラシステムに用いられるカメラの制御方法であって、記録用撮像の開始が指示された後の一方の補正手段の位置に対する該一方の補正手段の移動方向ごとの、第１の補正手段および第２の補正手段による補正比率を示す情報を取得するステップと、該ステップで取得した情報に基づいて、記録用撮像中の第１の補正手段の移動を制御するステップとを有することを特徴とする。